(57)【要約】【課題】必要な強度を確保することができながらも、材料を削減することができる蓋体を提供する。【解決手段】発泡性合成樹脂からなり、容器本体の開口部に着脱自在に構成された略矩形状で板状の蓋体本体３０を備えた蓋体であって、蓋体本体３０の上面外周部全域に亘って枠状の凸条Ｔが形成され、容器本体と蓋体本体３０とに掛け回して両者を固定するバンドを入り込ませる第１切欠き部Ｓ１が、凸条Ｔの対向する二辺それぞれの辺方向両端部に所定長さを持ってそれぞれ形成され、二辺それぞれの辺方向両端部の第１切欠き部Ｓ１，Ｓ１間に、第１切欠き部Ｓ１の所定長さよりも長い所定長さを有する第２切欠き部Ｓ２が形成されている。【選択図】図５
0003193344.tif 000002
【実用新案登録請求の範囲】
【請求項１】
発泡性合成樹脂からなり、容器本体の開口部に着脱自在に構成された略矩形状で板状の蓋体本体を備えた蓋体であって、
前記蓋体本体の上面外周部全域に亘って枠状の凸条が形成され、前記容器本体と前記蓋体本体とに掛け回して両者を固定するバンドを入り込ませる第１切欠き部が、前記凸条の対向する二辺それぞれの辺方向両端部に所定長さを持って形成され、前記二辺それぞれの第１切欠き部間の辺方向略中央部に、該第１切欠き部の所定長さよりも長い所定長さを有する第２切欠き部が形成されていることを特徴とする蓋体。
【請求項２】
前記凸条の残りの対向する二辺それぞれの辺方向略中央部にバンドを入り込ませる第３切欠き部が所定長さを持って形成され、該第３切欠き部は、前記第１切欠き部の所定長さよりも長いことを特徴とする請求項１に記載の蓋体。
【請求項３】
前記第１切欠き部を形成する辺方向に沿って対向する一対の側面は、上方に向かうほど互いに離れる傾斜面に形成されていることを特徴とする請求項１又は２に記載の蓋体。
【考案の詳細な説明】
【技術分野】
【０００１】
本考案は、発泡性合成樹脂からなり、容器本体の開口部に着脱自在に構成された略矩形状で板状の蓋体本体を備えた蓋体に関する。
【背景技術】
【０００２】
かかる蓋体においては、蓋体本体の上面外周部全域に亘って枠状の凸条を形成することによって、薄肉な板状の蓋体本体の強度アップを図ることができる。また、容器本体と蓋体本体とに掛け回して両者を固定するバンドを入り込ませる切欠き部が、前記凸条の対向する二辺それぞれの辺方向両端部に形成されたものが提案されている（例えば特許文献１参照）。
【０００３】
更に、前記二辺それぞれの辺方向両端部に位置する切欠き部間に、空気を通過させるための切欠き部を形成し、その空気用の切欠き部の辺方向の長さが、バンド用の切欠き部の辺方向の長さよりも短い寸法になっている。
【先行技術文献】
【特許文献】
【０００４】
【特許文献１】特開平８−５１８８８号公報（図１、図４参照）
【考案の概要】
【考案が解決しようとする課題】
【０００５】
上記特許文献１のように、空気用の切欠き部が形成されているものの、空気用の切欠き部の辺方向の長さがバンド用切欠き部よりも短いものであるため、蓋体本体の上面外周部に凸条を形成するための材料が多く必要となり、コスト高になるという不都合があり、改善の余地があった。
【０００６】
本考案が前述の状況に鑑み、解決しようとするところは、必要な強度を確保することができながらも、材料を削減することができる蓋体を提供することを課題とする。
【課題を解決するための手段】
【０００７】
本考案の蓋体は、前述の課題解決のために、発泡性合成樹脂からなり、容器本体の開口部に着脱自在に構成された略矩形状で板状の蓋体本体を備えた蓋体であって、前記蓋体本体の上面外周部全域に亘って枠状の凸条が形成され、前記容器本体と前記蓋体本体とに掛け回して両者を固定するバンドを入り込ませる第１切欠き部が、前記凸条の対向する二辺それぞれの辺方向両端部に所定長さを持って形成され、前記二辺それぞれの第１切欠き部間の辺方向略中央部に、該第１切欠き部の所定長さよりも長い所定長さを有する第２切欠き部が形成されていることを特徴としている。
【０００８】
かかる構成によれば、例えば食品等を氷や水とともに容器本体に収納し、容器本体の開口を蓋体本体にて閉じる。そして、凸条の対向する二辺それぞれの辺方向両端部に形成された第１切欠き部を介して容器本体と蓋体本体とにバンドを掛け回して両者を固定する。バンドが掛け回される凸条の対向する二辺それぞれの辺方向両端部は、バンドが掛け回される関係上、蓋体本体の強度が必要となる。しかし、凸条の対向する二辺それぞれの辺方向両端部間は、辺方向両端部に比べて強度を必要としないため、そこに形成する第２切欠き部を、バンドが入り込むことができる第１切欠き部の所定長さよりも長い所定長さを有する構成とすることによって、必要な強度を確保することができながらも、材料を削減することができる。
【０００９】
また、本考案の蓋体は、前記凸条の残りの対向する二辺それぞれの辺方向略中央部にバンドを入り込ませる第３切欠き部が所定長さを持って形成され、該第３切欠き部は、前記第１切欠き部の所定長さよりも長くてもよい。
【００１０】
上記構成によれば、凸条の残りの対向する二辺それぞれの辺方向略中央部に形成された第３切欠き部を、第１切欠き部の所定長さよりも長くしていれば、その分だけ更に材料を削減することができる。そして、辺方向略中央部に形成される第３切欠き部は、辺方向両端部に形成される切欠き部に比べて強度を必要としないため、第３切欠き部を第１切欠き部の所定長さよりも長くできる。
【００１１】
また、本考案の蓋体は、前記第１切欠き部を形成する辺方向に沿って対向する一対の側面は、上方に向かうほど互いに離れる傾斜面に形成されていてもよい。
【００１２】
上記構成によれば、バンドを第１切欠き部に入り込ませる際に、凸条の辺方向両端面の傾斜面にバンドの幅方向両端が当接してバンドを第１切欠き部側へ確実に案内することができ、バンドの装着作業を迅速に行うことができる。
【考案の効果】
【００１３】
本考案によれば、他の部分に比べて強度を必要としない凸条の対向する二辺それぞれの辺方向両端部の第１切欠き部間に、バンドを入れ込むことができる第１切欠き部の所定長さよりも長い所定長さを有する第２切欠き部を形成することによって、必要な強度を確保することができながらも、材料を削減することができる。よって、コスト面及び強度面のいずれの面においても優れた蓋体とすることができる。
【図面の簡単な説明】
【００１４】
【図１】本考案に係る容器の正面図である。
【図２】同容器を示す側面図である。
【図３】容器本体の要部の斜視図である。
【図４】容器本体の底面図である。
【図５】蓋体の平面図である。
【図６】蓋体の底面図である。
【図７】２つの容器を上下に積み重ねた状態の要部の正面図である。
【図８】２つの容器を上下に積み重ねた状態の要部の側面図である。
【考案を実施するための形態】
【００１５】
以下、本考案に係る蓋体の一実施形態を、図面に基づいて説明する。
【００１６】
図１及び図２は、あさり（魚でもよい）等の貝類を海水とともに収納することができる箱型状の容器１を示している。この容器１は、上端に開口部２Ａ（図３参照）を有する発泡性合成樹脂でなる容器本体２と、この容器本体２の上端開口部２Ａを閉じて密閉状態にするための発泡性合成樹脂でなる蓋体３とから構成されている。尚、発泡性合成樹脂としては、特に限定されないが、例えば発泡ポリスチレン、発泡ポリエチレン、発泡ポリプロピレン等の各種発泡性合成樹脂が利用できる。尚、容器１の短辺方向を左右方向とし、容器１の長辺方向を前後方向とする。わかり易くするために図面にも前後左右の文字を入れている。
【００１７】
容器本体２は、図３及び図４に示すように、平面視略長方形状に形成された板状の底壁２１と、底壁２１の外周縁から上方に立ち上げられた本体用側壁２７とを備えている。
【００１８】
底壁２１は、外側に位置するフラット面を有する外周縁２１ａと、外周縁２１ａを除いた内側部分から下方に突出した突出部２１Ｔとを備え、この突出部２１Ｔのフラットな下面２１ｔが、床面等に接する。
【００１９】
本体用側壁２７は、底壁２１の全周に亘る枠状に形成され、上端部がこれよりも下側部分の肉厚よりも厚くなるよう外側に膨出した肉厚補強部２Ｂを構成してなり、該肉厚補強部２Ｂの下方に一対の指掛け用凹部２４，２４を備えるとともに該肉厚補強部２Ｂと同一厚みとなるよう外側に膨出した補助用肉厚補強部２Ｃを延設している。
【００２０】
本体用側壁２７は、具体的には、底壁２１の一対の長辺である左右の縁部に上方に立ち上げられた左右側壁２２，２２と、底壁２１の一対の短辺である前後の縁部から上方に立ち上げられた前後側壁２３，２３とを備え、これら４つの側壁２２，２３の上部に貝類や海水を出し入れするための前記上端開口部２Ａが形成されて構成されている。
【００２１】
左右側壁２２，２２は、上端部が他の部分（上端部より下側部分）の肉厚よりも厚くなる肉厚補強部２Ｂとなり、肉厚補強部２Ｂの外面２ｂは、容器本体２の下面（水平面）２１ｔに対して垂直となる垂直面に構成されている。また、肉厚補強部２Ｂの下側部分の外面２２ｃは、下方側ほど内側となる傾斜面に形成されている。また、左右側壁２２，２２の内面（図示せず）は、下方側ほど内側となる傾斜面に形成されている。前記のように肉厚補強部２Ｂの下側部分の外面２２ｃを、肉厚補強部２Ｂの下端２Ｕから下方側ほど内側となる傾斜面に形成することによって、金型との離型性を良好にすることができる。尚、前記傾斜面の傾斜角度を１°に設定しているため、図面上では把握でき難い状態になっている。
【００２２】
前後側壁２３，２３は、上端部が他の部分（上端部より下側部分）の肉厚よりも厚くなる肉厚補強部２Ｂを備え、肉厚補強部２Ｂの左右方向中央部の下方に肉厚補強部２Ｂと同一厚みとなる補助用肉厚補強部２Ｃが延出されており、これら前後の補助用肉厚補強部２Ｃ，２Ｃの下端から底部２１の外周縁２１ａにかけて前後一対の指掛け用凹部２４，２４が形成されている。肉厚補強部２Ｂの外面２ｂは、容器本体２の下面（水平面）２１ｔに対して垂直となる垂直面に構成されている。また、肉厚補強部２Ｂの下側部分の外面２３ｃは、下方側ほど内側となる傾斜面に形成されている。また、前後側壁２３，２３の内面（図示せず）は、下方側ほど内側となる傾斜面に形成されている。前記のように肉厚補強部２Ｂの下側部分の外面２３ｃを、肉厚補強部２Ｂの下端２Ｕから下方側ほど内側に位置する傾斜面に形成することによって、金型との離型性を良好にすることができる。尚、前記傾斜面の傾斜角度を１°に設定しているため、図面上では把握でき難い状態になっている。
【００２３】
指掛け用凹部２４は、容器１の肉厚補強部２Ｂの下側部分の外面２３ｃよりも内側に離間したフラット面２４Ａと、フラット面２４Ａの左右端から容器１の肉厚補強部２Ｂの下側部分の外面２３ｃまでを繋ぐフラットな左右の横側面２４Ｂ，２４Ｂと、補助用肉厚補強部２Ｃの下端面２４Ｃの４つの面から構成され、補助用肉厚補強部２Ｃの下端面２４Ｃに指（例えば、人差し指、中指、薬指、小指の４本）を掛けて容器１を持ち上げることになる。
【００２４】
指掛け用凹部２４の左右幅は、補助用肉厚補強部２Ｃの左右幅よりも狭く設定され、下方に向かうほど幅広にすることで材料を削減することができる。補助用肉厚補強部２Ｃの下端面２４Ｃにおける指掛け用凹部２４の左右幅は、具体的には、４本の指（ほとんどの指）を掛けることができるように略７ｃｍの大きさの幅に設定しているが、４ｃｍ〜１０ｃｍの間の大きさの幅に設定してもよい。また、指掛け用凹部２４の内側への深さは、肉厚補強部２Ｂの下側部分の外面２３ｃから指掛け用凹部２４のフラット面２４Ａまでの距離であり、略１ｃｍに設定しているが、０．５ｃｍ〜３ｃｍの間の任意の値に設定してもよい。
【００２５】
また、容器本体２に装着した蓋体３を取り外す場合に、容器本体２の対角線上に位置する角部に、指を入れることができる指入れ用凹部２６が形成されている。従って、指入れ用凹部２６，２６の一方又は両方に指（例えば人差し指）を入れて容器本体２に対して蓋体３を上方へ持ち上げることによって、蓋体３を容易に取り外すことができる。
【００２６】
また、左右側壁２２，２２及び前後側壁２３，２３の上端面、即ち、容器本体２の上端面には、図３に示すように、内縁の全周に亘って上向きに突出する嵌合用凸条２５が設けられている。
【００２７】
一方、蓋体３は、図５及び図６に示すように、平面視略長方形状で板状の蓋体本体である天壁３Ａと、天壁３Ａの外周縁から下方に延びる蓋体用側壁３Ｂとを備えている。
【００２８】
天壁３Ａの底面のうちの前記蓋体用側壁３Ｂから所定距離内側に位置する部位に、全周に亘って下向きに突出する環状の凸条３２が形成されている。該凸条３２は、前後に対向する前後壁３２Ａ，３２Ａと、左右で対向する左右壁３２Ｂ，３２Ｂとを備える。そして、凸条３２の前後壁３２Ａ，３２Ａの左右中央部同士及び左右壁３２Ｂ，３２Ｂの前後中央部同士を連結する略十字形状の補強用凸条３４が形成されている。この補強用凸条３４は、前記凸条３２よりも下向きの突出量が小さく（少なく）なっている。
【００２９】
蓋体用側壁３Ｂは、具体的には、天壁３Ａの一対の長辺である左右の縁部に下方に延びる左右側壁３６，３６と、天壁３Ａの一対の短辺である前後の縁部から下方に延びる前後側壁３７，３７とを備えている。
【００３０】
前記蓋体用側壁３Ｂと前記凸条３２との間に、前記嵌合用凸条２５が嵌合する嵌合用凹溝３３が形成されている。この嵌合用凹溝３３を容器本体２の嵌合用凸条２５に嵌合させることによって、蓋体３と容器本体２とが密閉状態で固定される。
【００３１】
左右側壁３６，３６の外面３ｂは、容器本体２の底壁２１の下面（水平面）２１ｔに対して垂直となる垂直面に形成されるとともに、容器本体２の肉厚補強部２Ｂの外面２ｂと面一となるように形成されている。
【００３２】
前後側壁３７，３７の外面３ｂは、容器本体２の底壁２１の下面（水平面）２１ｔに対して垂直となる垂直面に形成されるとともに、容器本体２の肉厚補強部２Ｂの外面２ｂと面一となるように形成されている。
【００３３】
前記のように左右側壁３６，３６の外面３ｂ及び前後側壁３７，３７の外面３ｂ、即ち蓋体用側壁３Ｂの外面３ｂと容器本体２の肉厚補強部２Ｂの外面２ｂとから、テープ貼り付け面を構成している。そして、蓋体用側壁３Ｂの外面３ｂと容器本体２の肉厚補強部２Ｂの外面２ｂとが垂直面に形成されることによって、それら垂直面に粘着テープＮを貼り易くテープの貼り付け作業を迅速に行うことができる。尚、肉厚補強部２Ｂの上下の幅は、周方向において略同一の大きさに構成され、肉厚補強部２Ｂの厚みも、周方向において略同一の厚みに構成されている。また、蓋体３の外面（垂直面）３ｂの上下の幅は、周方向において略同一の大きさに構成され、肉厚補強部２Ｂの上下の幅と略同一の寸法になっている。
【００３４】
前記のように粘着テープＮが貼り付けられて密閉状態になった容器１の前後側壁２３，２３に形成された指掛け用凹部２４，２４に指（例えば、人差し指、中指、薬指、小指の４本）を掛けて容器１を持ち上げて運搬することができる。このとき、補強された容器本体２の上端部の肉厚補強部２Ｂ及び補助用肉厚補強部２Ｃにて容器１の重量を良好に支持することができる。
【００３５】
また、天壁３Ａの上面外周部全域に亘って枠状の凸条Ｔが形成され、容器本体２と蓋体本体３０とに掛け回して両者を固定するバンドＢを入り込ませる第１切欠き部Ｓ１が形成されている。この第１切欠き部Ｓ１は、凸条Ｔの対向する二辺のうちの長辺側の二辺それぞれの辺方向両端部の合計４箇所に所定長さを持って形成されている。これら４箇所に形成された第１切欠き部Ｓ１の所定長さ（辺方向に沿った長さ）は、同じ長さに構成され、図７に示すように、バンドＢの幅と略等しい長さ（寸法）に構成されている。このように構成することによって、第１切欠き部Ｓ１に入り込んだバンドＢが長手方向に位置ズレすることを阻止することができるとともに、第１切欠き部Ｓ１の形成による強度低下を抑えることができる。また、長辺側の二辺それぞれの第１切欠き部Ｓ１，Ｓ１間である辺方向中央部に、第１切欠き部Ｓ１の所定長さよりも長い所定長さを有する第２切欠き部Ｓ２が形成されている。更に、凸条Ｔの残りの対向する二辺、つまり短辺側の対向する二辺それぞれの辺方向略中央部にバンドＢを入り込ませる第３切欠き部Ｓ３が所定長さを持って形成されている。この第３切欠き部Ｓ３は、前記第１切欠き部Ｓ１の所定長さよりも長くしている。前記第２切欠き部Ｓ２と第３切欠き部Ｓ３は、同一長さに構成され、第１切欠き部Ｓ１の長さの略１．５倍の長さに構成されているが、第１切欠き部Ｓ１の長さの１．２倍〜１．８倍の範囲に設定することが好ましい。バンドＢとしては、合成樹脂製のものの他、紙製や布製等を用いることができる。ここでは、３本のバンドＢを掛け回した場合を示しているが、必ずしも３本のバンドＢを掛け回す必要はなく、１本又は２本のバンドＢを掛け回して実施することもできる。また、第２切欠き部Ｓ２に、バンドＢを掛け回してもよい。
【００３６】
前記のように凸条Ｔに、第１切欠き部Ｓ１、第２切欠き部Ｓ２、第３切欠き部Ｓ３を形成することによって、前端に位置する左右一対の第１突起３５Ａ，３５Ｂと、後端に位置する左右一対の第２突起３５Ｃ，３５Ｄと、第１突起３５Ａ，３５Ｂと第２突起３５Ｃ，３５Ｄとの間でかつ前側に近い側に位置する左右一対の第３突起３５Ｅ，３５Ｆと、第１突起３５Ａ，３５Ｂと第２突起３５Ｃ，３５Ｄとの間でかつ後側に近い側に位置する左右一対の第４突起３５Ｇ，３５Ｈの合計８個の突起が蓋体本体３０上に形成されている。これら８個の突起３５Ａ，３５Ｂ，３５Ｃ，３５Ｄ，３５Ｅ，３５Ｆ，３５Ｇ，３５Ｈから前記凸条Ｔが構成されている。
【００３７】
第１突起３５Ａ又は３５Ｂは、蓋体３の短辺方向に延びる直方体部３５ａ又は３５ｂと、これら直方体部３５ａ又は３５ｂの左右端から蓋体３の角部のアールに沿って湾曲した湾曲部３５ｃ又は３５ｄとからなる略Ｌ字状に形成されている。また、第２突起３５Ｃ，３５Ｄは、蓋体３の短辺方向に延びる直方体部３５ｅ又は３５ｆと、これら直方体部３５ｅ又は３５ｆの左右端から蓋体３の角部のアールに沿って湾曲した湾曲部３５ｇ又は３５ｈとからなる略Ｌ字状に形成されている。また、第３突起３５Ｅ，３５Ｆ及び第４突起３５Ｇ，３５Ｈは、長手方向に延びる直方体からなっている。
【００３８】
従って、上記のように構成された容器本体２に、例えばアサリ等の貝類（魚等でもよい）を海水とともに収納し、容器本体２の開口部２Ａを蓋体３にて閉じる。そして、凸条Ｔの対向する二辺それぞれの第１切欠き部Ｓ１，Ｓ１を介して容器本体２と蓋体本体３０とにバンドＢを掛け回して両者を固定する。図示していないが、バンドＢには締付け具が備えており、締付け具の締付けによって、バンドＢが容器本体２と蓋体本体３０とに押し付けられて固定される。また。バンドＢが掛け回される凸条Ｔの対向する二辺それぞれの辺方向両端部は、バンドＢが掛け回される関係上、蓋体３の強度が必要となる。そのため、第１切欠き部Ｓ１，Ｓ１をバンドＢの幅と略等しい長さ（寸法）に構成することによって、強度が低下することを抑制することができる。これに対して、凸条Ｔの対向する二辺それぞれの辺方向中央部は、辺方向両端部に比べて強度を必要としないため、そこに形成する第２切欠き部Ｓ２，Ｓ２を第１切欠き部Ｓ１の所定長さよりも長い所定長さを有する構成とすることによって、必要な強度を確保することができながらも、材料を削減することができる。しかも、凸条Ｔの対向する二辺それぞれの第３切欠き部Ｓ３，Ｓ３も、第２切欠き部Ｓ２，Ｓ２と同様に、第１切欠き部Ｓ１の所定長さよりも長くすることによって、必要な強度を確保することができながらも、更に材料を削減することができる。
【００３９】
また、容器の前端側に位置する左右の第１切欠き部Ｓ１，Ｓ１を形成する辺方向両側面、つまり第１突起３５Ａ，３５Ｂの第３突起側端面３５１ａ，３５１ｂ及び第３突起３５Ｅ，３５Ｆの第１突起側端面３５１ｃ，３５１ｄを、上方に向かうほど互いに離れる傾斜面に形成している。また、容器の後端側に位置する左右の第１切欠き部Ｓ１，Ｓ１を形成する辺方向両側面、つまり第３突起３５Ｃ，３５Ｄの第４突起側端面３５１ｅ，３５１ｆ及び第４突起３５Ｇ，３５Ｆの第３突起側端面３５１ｇ，３５１ｈを、上方に向かうほど互いに離れる傾斜面に形成している。このように構成することによって、バンドＢを左右の第１切欠き部Ｓ１，Ｓ１に入り込ませる際に、凸条の辺方向両端面の傾斜面がバンドＢを第１切欠き部側へ確実に案内することができ、バンドＢの装着作業を迅速に行うことができる。
【００４０】
図５、図７及び図８に示すように、２つの容器１，１を上下方向に積み重ねると、蓋体３の突起３５Ａ〜３５Ｈの内側に、容器本体２の底部２１の底面２１ａから突出する突出部２１Ｔが入り込んで上側の容器１が下側の容器１に対して前後左右に位置ずれすることを阻止することができるようになっている。そして、蓋体３上面からの突起３５Ａ〜３５Ｈの上下高さよりも容器本体２の突出部２１Ｔの上下高さが低くなっている。このため、２つの容器１，１を上下方向に積み重ねたときに、容器本体２の突出部２１Ｔの下面２１ｔが蓋体３の上面３Ｕに当接することがない。これにより、２つの容器１，１を上下方向に積み重ねたときに、容器１の底部２１と蓋体３の上面との間に隙間が発生し、上側の容器１を下側の容器１に対して容易に持ち上げることができる。
【００４１】
尚、本考案に係る蓋体は、前記実施形態に限定されるものではなく、本考案の要旨を逸脱しない範囲で種々の変更が可能である。
【００４２】
前記実施形態では、第２切欠き部Ｓ２，Ｓ２を長手方向同一長さに形成したが、異なる長さに形成してもよい。但し、第２切欠き部Ｓ２の長さは、第１切欠き部Ｓ１の長さよりも長くすることになる。また、一方の辺に形成された第２切欠き部Ｓ２と、他方の辺に形成された第２切欠き部Ｓ２とが相対向するように位置させたが、位置をずらせて形成することもできる。
【００４３】
また、前記実施形態では、蓋体３を平面視略長方形状に構成したが、平面視略正方形状に構成してもよい。
【００４４】
また、前記実施形態では、長辺方向に３つの切欠き部Ｓ１，Ｓ２，Ｓ１を形成したが、蓋体３の大きさによっては、４つ以上の切欠き部を形成して実施してもよい。
【００４５】
また、前記実施形態では、第３切欠き部Ｓ３の長さを第１切欠き部Ｓ１の長さよりも長くしたが、同一の長さにしてもよい。
【００４６】
また、前記実施形態では、第１切欠き部を形成する凸条の辺方向両端面を、上方に向かうほど互いに離れる傾斜面に形成したが、垂直面に形成してもよい。
【００４７】
また、前記実施形態では、第１突起３５Ａ又は３５Ｂが、蓋体３の短辺方向に延びる直方体部３５ａ又は３５ｂと、これら直方体部３５ａ又は３５ｂの左右端から蓋体３の角部のアールに沿って湾曲した湾曲部３５ｃ又は３５ｄとを備えて構成したが、湾曲部３５ｃ又は３５ｄから辺方向に沿って延びる直方体部を更に備えて構成してもよいし、また、湾曲部３５ｃ又は３５ｄを省略して直方体部３５ａ又は３５ｂのみを備えて構成することもできる。
【符号の説明】
【００４８】
１…容器、２…容器本体、２Ａ…開口部、２Ｂ…肉厚補強部、２Ｃ…補助用肉厚補強部、２ｂ…外面（垂直面）、３…蓋体、３Ａ…天壁（蓋体本体）、３Ｂ…蓋体用側壁、３Ｕ…上面、３ｂ…外面（垂直面）、２１…底壁、２１Ｔ…突出部、２１ａ…外周縁、２１ｔ…下面、２２…左右側壁、２３…前後側壁、２２ｃ，２３ｃ…外面、２４…指掛け用凹部、２４Ａ…フラット面、２４Ｂ…横側面、２４Ｃ…下端面、２５…嵌合用凸条、２６…指掛け用凹部、３２…凸条、３２Ａ…前後壁、３３…嵌合用凹溝、３４…補強用凸条、３５Ａ〜３５Ｈ…突起、３５ａ…直方体部、３５ｃ，３５ｇ…湾曲部、３５ｅ…直方体部、３６…左右側壁、３７…前後側壁、Ｂ…バンド、Ｎ…粘着テープ、Ｓ１，Ｓ２，Ｓ３…切欠き部、Ｔ…凸条
【図１】
0003193344.tif 000003
【図２】
0003193344.tif 000004
【図３】
0003193344.tif 000005
【図４】
0003193344.tif 000006
【図５】
0003193344.tif 000007
【図６】
0003193344.tif 000008
【図７】
0003193344.tif 000009
【図８】
0003193344.tif 000010